(57)【特許請求の範囲】
【請求項１】
建物における互いに仕切られた各屋内空間のうち第１屋内空間に対して第２屋内空間が通気ダクトを介して接続される建物に適用され、
前記通気ダクトの途中に設けられ前記第２屋内空間から前記第１屋内空間への空気の供給を可能とする空気供給手段と、
前記第１屋内空間の温度を検出する温度検出手段と、
前記温度検出手段の検出結果に基づいて、前記第１屋内空間と前記第２屋内空間との温度差を小さくするべく第２屋内空間から第１屋内空間に対して前記空気供給手段による空気供給を行わせる制御手段と、
を備え、
前記第１屋内空間には、前記第２屋内空間が前記通気ダクトを介して複数接続されており、
前記制御手段は、前記温度検出手段の検出結果に基づいて、前記複数の第２屋内空間から空気供給元を選択し、該選択した第２屋内空間から前記第１屋内空間に対して前記空気供給手段による空気供給を行わせることを特徴とする建物の空調システム。
【請求項２】
前記第１屋内空間の目標室温を設定する設定手段を備え、前記制御手段は前記目標室温となった場合に前記空気供給手段による前記第１屋内空間への空気供給を終了させることを特徴とする請求項１に記載の建物の空調システム。
【請求項３】
前記制御手段は、前記温度検出手段により検出された温度が前記目標室温より低い場合、前記複数の第２屋内空間のうち最も室温が高い第２屋内空間を前記空気供給元として選択し、前記温度検出手段により検出された温度が前記目標室温より高い場合、前記複数の第２屋内空間のうち最も室温が低い第２屋内空間を前記空気供給元として選択することを特徴とする請求項２に記載の建物の空調システム。
【請求項４】
前記制御手段は、前記温度検出手段により検出された温度が前記目標室温より低い場合、前記複数の第２屋内空間のうち前記目標室温より室温が高い全ての第２屋内空間を前記空気供給元として選択し、前記温度検出手段により検出された温度が前記目標室温より高い場合、前記複数の第２屋内空間のうち前記目標室温より室温が低い全ての第２屋内空間を前記空気供給元として選択することを特徴とする請求項２に記載の建物の空調システム。
【請求項５】
建物における互いに仕切られた各屋内空間のうち第１屋内空間に対して第２屋内空間が通気ダクトを介して接続される建物に適用され、
前記通気ダクトの途中に設けられ前記第２屋内空間から前記第１屋内空間への空気の供給を可能とする空気供給手段と、
前記第１屋内空間の温度を検出する温度検出手段と、
前記温度検出手段の検出結果に基づいて、前記第１屋内空間と前記第２屋内空間との温度差を小さくするべく第２屋内空間から第１屋内空間に対して前記空気供給手段による空気供給を行わせる制御手段と、
を備え、
前記通気ダクトにおいて前記第２屋内空間とは逆側が少なくとも２方に分岐され、一方が前記第１屋内空間に、他方が屋外排気口に接続されるとともに、そのダクト分岐部にダクト切替手段が設けられ、
前記ダクト切替手段が、前記第２屋内空間と前記第１屋内空間とが前記通気ダクトにより連通される第１切替状態と、前記第２屋内空間と前記屋外排気口とが前記通気ダクトにより連通される第２切替状態に切替可能であることを特徴とする建物の空調システム。
【請求項６】
前記第１屋内空間は脱衣室であり、
浴室内の浴槽への湯張りが開始されたことを検出する湯張り検出手段を備え、
前記制御手段は、前記湯張り検出手段による湯張り検出結果に基づいて、前記脱衣室への空気供給を行わせることを特徴とする請求項１乃至５のいずれか１項に記載の建物の空調システム。
【請求項７】
前記第１屋内空間は脱衣室であり、
浴室内に入浴者がいることを検出する入浴者検出手段を備え、
前記制御手段は、前記入浴者検出手段による入浴者検出結果に基づいて、前記脱衣室への空気供給を行わせることを特徴とする請求項１乃至６のいずれか１項に記載の建物の空調システム。
【発明の詳細な説明】
【技術分野】
【０００１】
本発明は、建物の空調システムに関するものである。
【背景技術】
【０００２】
住宅等の建物では、リビングやダイニングといった住人等が継続的に使用する居室を対象として、エアコン等により室温調整が行われていることが多い。この場合、居室の室温は適切に調整される一方で、脱衣室等といった居室以外の部屋が適切な室温になっていないことがあると考えられる。そこで、例えば特許文献１には、脱衣室に脱衣室空調機が設けられた構成が提案されている。この構成では、脱衣室を対象として脱衣室空調機により室温調整を適切に行うことができる。
【特許文献１】特開２００４−１１６９４８号公報
【発明の開示】
【発明が解決しようとする課題】
【０００３】
しかしながら、上記特許文献１では、居室の室温とは関係なく脱衣室の室温調整が行われるため、居室と脱衣室との室温差が大きいと、入浴するべく脱衣する際に身体が温度変化を受けること（いわゆるヒートショック）で入浴者の体調に異変が生じることが懸念される。このような問題は、脱衣室だけでなく、居室との間で温度差が発生しやすいトイレ等の部屋においても起こりえると考えられる。
【０００４】
そこで、本発明は、互いに仕切られた複数の屋内空間を有する建物において、人が所定の屋内空間からその他の屋内空間に移動した際におけるヒートショックの発生を抑制することができる建物の空調システムを提供することを目的とするものである。
【課題を解決するための手段】
【０００５】
本発明は、上記課題を解決するために、以下の手段を採用した。
【０００６】
第１の発明は、建物における互いに仕切られた各屋内空間のうち第１屋内空間に対して第２屋内空間が通気ダクトを介して接続される建物に適用され、前記通気ダクトの途中に設けられ前記第２屋内空間から前記第１屋内空間への空気の供給を可能とする空気供給手段と、前記第１屋内空間の温度を検出する温度検出手段と、前記温度検出手段の検出結果に基づいて、前記第１屋内空間と前記第２屋内空間との温度差を小さくするべく第２屋内空間から第１屋内空間に対して前記空気供給手段による空気供給を行わせる制御手段と、を備えることを特徴とする建物の空調システムである。
【０００７】
第１の発明によれば、第２屋内空間から第１屋内空間に空気が供給されるため、第１屋内空間の温度は第２屋内空間の温度に近づく。したがって、第２屋内空間の空気を利用して第１屋内空間の温度調整を行うことができる。この場合、第１屋内空間と第２屋内空間との温度差が小さくなるため、住人等が第１屋内空間と第２屋内空間との間を移動した際に身体で受ける温度変化が小さくなる。その結果、互いに仕切られた複数の屋内空間を有する建物において、人が所定の屋内空間からその他の屋内空間に移動した際におけるヒートショックの発生を抑制することができる。
【０００８】
第２の発明では、前記第１屋内空間と前記第２屋内空間との温度差を取得する取得手段を備え、前記制御手段は、前記取得手段により取得された前記第１屋内空間と前記第２屋内空間との温度差に基づいて前記空気供給手段による空気供給制御を行わせる。
【０００９】
第２の発明によれば、第１屋内空間と第２屋内空間との温度差に基づいて、第２屋内空間から第１屋内空間に空気が供給される。ここで、第１屋内空間と第２屋内空間との温度差が大きいとヒートショックにより人の体調に異変が生じやすいと考えられるが、本構成とすることで、前記温度差が大きい場合に第１屋内空間の温度調整を行うことが可能となり、体調異変の発生を抑制することができる。
【００１０】
第３の発明では、各屋内空間を仕切る間仕切り部に開口部が設けられ、前記空気供給手段により第２屋内空間から第１屋内空間への空気供給が行われる際に、前記開口部を通じて第１屋内空間から第２屋内空間への空気循環を生じさせる。
【００１１】
第３の発明によれば、通気ダクトを通じて第２屋内空間から第１屋内空間に空気が供給された場合、開口部を通じて第１屋内空間から第２屋内空間に空気が戻されることで、第１屋内空間と第２屋内空間との間で空気循環が生じる。したがって、第１屋内空間の温度調整を行いつつ、第２屋内空間と第１屋内空間との温度差を適正に解消することができる。
【００１２】
なお、開口部には、第１屋内空間から第２屋内空間への空気流を生じさせるファン装置が設けられているとよい。この場合、ファン装置を駆動させることで、第１屋内空間から第２屋内空間へ積極的に空気を送り出すことになり、第１屋内空間と第２屋内空間との間での空気循環の発生を促すことができる。なお、ファン装置により積極的に空気流を生じさせる方式が強制循環方式であるとすれば、積極的には空気流を生じさせない方式が自然循環方式であるとすることができる。
【００１３】
第４の発明では、前記第１屋内空間には、前記第２屋内空間が前記通気ダクトを介して複数接続されており、前記制御手段は、前記温度検出手段の検出結果に基づいて、前記複数の第２屋内空間から空気供給元を選択し、該選択した第２屋内空間から前記第１屋内空間に対して前記空気供給手段による空気供給を行わせる。
【００１４】
第４の発明によれば、複数の第２屋内空間のうち空気供給元として選択された空間から第１屋内空間に空気が供給される。ここで、複数の第２屋内空間は、人が居るか居ないか、又は空調が行われているか否か等に応じてそれぞれの温度がまちまちになっていると考えられる。これに対して、空気供給元は、第１屋内空間の温度に基づいて複数の第２屋内空間の中から選択されるため、第１屋内空間の温度調整が必要な場合に、その温度調整に適した温度となっている第２屋内空間から第１屋内空間に供給することができ、ひいては、第１屋内空間と第２屋内空間との温度差を小さくすることができる。その結果、複数の第２屋内空間の空気により第１屋内空間の温度を好適に調整することができる。
【００１５】
第５の発明では、前記第２屋内空間は、前記第１屋内空間よりも広い空間である。
【００１６】
第５の発明によれば、第２屋内空間が第１屋内空間より広い空間であるため、第２屋内空間から第１屋内空間に空気が供給された場合、第２屋内空間の温度変化は第１屋内空間の温度変化に比べて小さい。したがって、第２屋内空間の温度変化を極力小さくしつつ、第１屋内空間の温度を好適に調整することができる。
【００１７】
第６の発明では、前記第１屋内空間は脱衣室、前記第２屋内空間は居室であり、前記空気供給手段は、居室から脱衣室への空気の供給を可能とするものである。
【００１８】
第６の発明によれば、居室から脱衣室に空気が供給される。ここで、居室は、住人等が継続的に使用する空間であるため、季節や時間帯に応じて室内温度が適切に調整されていると考えられる。したがって、居室から脱衣室に空気が供給されることで、脱衣室を適切な温度に調整することができる。
【００１９】
第７の発明では、浴室内の浴槽への湯張りが開始されたことを検出する湯張り検出手段を備え、前記制御手段は、前記湯張り検出手段による湯張り検出結果に基づいて、居室から脱衣室への空気供給を行わせる。
【００２０】
第７の発明によれば、浴室内における浴槽の湯張り中に、居室から脱衣室に空気を供給することができる。この場合、住人等が入浴する前に、脱衣室をあらかじめ適度な温度に調整しておくことができる。例えば、冬季には、あらかじめ脱衣室を暖めておくことで、入浴時に身体が受ける温度変化により体調に異変が生じること（いわゆるヒートショック）を回避できる。
【００２１】
第８の発明では、浴室内に入浴者がいることを検出する入浴者検出手段を備え、前記制御手段は、前記入浴者検出手段による入浴者検出結果に基づいて、居室から脱衣室への空気供給を行わせる。
【００２２】
第８の発明によれば、住人等が浴室内で入浴している場合に、居室から脱衣室に空気を供給することができる。この場合、住人等の入浴が終了する前に、脱衣室をあらかじめ適度な温度に調整しておくことができる。例えば、夏季には、あらかじめ脱衣室を涼しくしておくことで、住人等が入浴後に脱衣室で快適な涼感を得ることができる。
【００２３】
第９の発明では、前記通気ダクトにおいて前記第２屋内空間とは逆側が少なくとも２方に分岐され、一方が前記第１屋内空間に、他方が屋外排気口に接続されるとともに、そのダクト分岐部にダクト切替手段が設けられ、前記ダクト切替手段が、第２屋内空間から第１屋内空間への空気供給時には前記第２屋内空間と前記第１屋内空間とが前記通気ダクトにより連通される状態とされ、その空気供給時以外で前記第２屋内空間と前記屋外排出口とが前記通気ダクトにより連通される状態とされる。
【００２４】
第９の発明によれば、第２屋内空間から第１屋内空間への空気供給が行われる場合には、通気ダクトにより第２屋内空間が第１屋内空間に通じており、前記空気供給が行われない場合には、通気ダクトにより第２屋内空間が屋外排気口に通じている。つまり、通気ダクトを通じて連通される第２屋内空間の連通相手が第１屋内空間又は屋外空間に切り替えられる。したがって、第２屋内空間の連通相手を切り替えることで、第１屋内空間の温度調整を行ったり、第２屋内空間の排気を行ったりすることができる。
【発明を実施するための最良の形態】
【００２５】
以下、本発明を具体化した一実施形態を図面に基づいて説明する。本実施形態では、空調システムが設けられている住宅等の建物について具体化しており、その建物は複数の屋内空間を有している。図１は、空調システムを有する建物の概略を示す平面図であり、図２は、同建物の概略を示す縦断面図である。
【００２６】
図１、図２に示すように、住宅等の建物１０には、リビングやダイニング等の居室として、第１居室１１と、第２居室１２と、第３居室１３とが設けられている。居室１１〜１３は、住人等に継続的に使用される居室空間である。また、建物１０には、浴室１５と、その浴室１５に隣接した脱衣室１６と、その脱衣室１６と第１居室１１との間に配置された廊下１７とが設けられている。脱衣室１６は、住人等により入浴の前後に浴室１５の前室として一時的に使用され、廊下１７は、住人等により居室１１〜１３や脱衣室１６への移動の際に一時的に使用される。したがって、脱衣室１６及び廊下１７は、居室１１〜１３とは異なり、住人等に非継続的に使用される空間である。ここでは、脱衣室１６及び廊下１７を、居室空間と区別するために非居室空間とも称する。
【００２７】
居室１１〜１３からなる各居室空間は、脱衣室１６や廊下１７からなる各非居室空間より大きな空間となっている。すなわち、居室１１〜１３は脱衣室１６より広くなっており（居室空間が大きくなっており）、住人等が居室１１〜１３を使用する上での利便性が高くなっている。また、建物１０において、居室空間や非居室空間の上方には、天井により仕切られた天井裏スペース１９が設けられている。さらに、建物１０には、居室１１〜１３や浴室１５、脱衣室１６、廊下１７等を仕切る仕切壁２１が設けられている。
【００２８】
浴室１５には、浴槽２３と、その浴槽２３に湯を張る湯張り装置２３ａとが設けられている。湯張り装置２３ａは、自動湯張り機能を有しており、水道蛇口等の給水部から浴槽２３内に湯水を供給させるとともに、浴槽２３に溜められた湯水の水位を検出し、その水位が所定水位に達した時に給水部からの湯水供給を停止させる。
【００２９】
建物１０においては、屋内空間の温度を調整する空調システムが構築されており、その空調システムは空調装置２４を含んで構成されている。空調装置２４は、天井裏スペース１９に設置されており、エアコン室内機２５とチャンバボックス３５とを有している。ここではまずエアコン室内機２５に関する構成を説明し、チャンバボックス３５については後述する。
【００３０】
エアコン室内機２５には、空気を取り込むための取込用ダクト２６が複数接続されており、屋外に通じている取込用ダクト２６からは外気が取り込まれ、屋内空間に通じている取込用ダクト２６からは内気が取り込まれる。屋内空間に通じている取込用ダクト２６の屋内空間側の端部には、空気を還気として取り込む還気グリル２７が接続されており、その還気グリル２７は、例えば居室１１〜１３の天井に形成された開口に取り付けられている。
【００３１】
エアコン室内機２５は、取込用ダクト２６から取り込んだ空気の温度調整を行い、温度調整を行った空気を屋内空間に吹き出す。より詳しくは、エアコン室内機２５には吹出用ダクト２８が接続されており、その吹出用ダクト２８の屋内空間側の端部には吹出グリル２９が接続されている。その吹出グリル２９は、居室１１〜１３の天井に形成された開口に取り付けられている。なお、吹出グリル２９は、各居室１１〜１３のそれぞれに設けられており、各居室１１〜１３にはエアコン室内機２５から吹出用ダクト２８を介して個別に空気を吹き出す。この場合、各居室１１〜１３の室温は、エアコン室内機２５により個別に調整される。
【００３２】
また、空調システムは、居室１１〜１３内の空気を脱衣室１６に供給する空気供給機構を有している。具体的には、居室１１〜１３内の空気を吸い込む吸気グリル３１と、吸気グリル３１から吸い込まれた空気を脱衣室１６に供給する供給グリル３２とを有しており、さらに、吸気グリル３１と供給グリル３２とを連通する通気ダクト３３を有している。
【００３３】
吸気グリル３１は、各居室１１〜１３のそれぞれに設けられており、各居室１１〜１３において、天井に形成された各開口に取り付けられている。したがって、吸気グリル３１からは、天井付近（居室空間の上部）に存在する空気が吸い込まれる。各居室１１〜１３では、天井付近に温かい空気が溜まり易くなっており、その温かい空気が吸気グリル３１により吸い込まれる。
【００３４】
供給グリル３２は、脱衣室１６の天井に形成された開口に取り付けられており、下方に向かって空気を吹き出す。通気ダクト３３は、天井裏スペース１９に配設されている。これにより、天井裏スペース１９を有効に利用するとともに、居室１１〜１３や脱衣室１６、廊下１７等の空間を極力大きく確保している。
【００３５】
通気ダクト３３には、空気供給手段としてチャンバボックス３５と送風ファン３６とが接続されている。チャンバボックス３５は、エアコン室内機２５と一体的に空調装置２４に含まれて構成されている。チャンバボックス３５には、通気ダクト３３を介して吸気グリル３１及び供給グリル３２が接続されており、特に、チャンバボックス３５と供給グリル３２との間には送風ファン３６が接続されている。この場合、送風ファン３６が回転することで、居室１１〜１３の居室空間からチャンバボックス３５に吸気グリル３１を介して空気が吸い込まれるとともに、チャンバボックス３５内の空気が供給グリル３２から脱衣室１６に供給される。このとき、チャンバボックス３５に出入りする空気量は、送風ファン３６の回転速度や回転量によって調整される。
【００３６】
チャンバボックス３５には電動式のモータダンパ３８が設けられている。モータダンパ３８は、通気ダクト３３の開閉を行う開閉弁（図示略）を含んで構成されており、開閉弁を開状態又は閉状態に切り替えることで、吸気グリル３１からの空気の吸い込みを実行又は停止させたり、脱衣室１６側への空気の供給を実行又は停止させたりする。開閉弁は、吸気グリル３１が取り付けられている居室１１〜１３ごとに設けられており、各々独立して開閉される。開閉弁は、常閉式となっており、チャンバボックス３５に空気が出入りしない場合には、開閉弁によりチャンバボックス３５に対して通気ダクト３３が閉鎖されている。この場合、通気ダクト３３及びチャンバボックス３５においては空気の流れが発生しないため、建物１０内のどこかで発生した音や声が、通気ダクト３３やチャンバボックス３５を介して建物１０内の別の場所に伝わってしまうこと（いわゆるクロストークの発生）が抑制されている。
【００３７】
通気ダクト３３には排気切替装置４１が接続されており、排気切替装置４１は、供給グリル３２と送風ファン３６との間に配置されている。排気切替装置４１には、通気ダクト３３の他に排気ダクト４２が接続されており、排気ダクト４２は、屋外排気口４３を介して屋外空間に通じている。この場合、排気切替装置４１よりも下流が、供給グリル３２を介した脱衣室１６側と、屋外排気口４３を介した屋外排気側との２方に分岐されており、排気切替装置４１は、上流に位置する通気ダクト３３を脱衣室１６側と連通させる供給状態、又は前記通気ダクト３３を屋外排気側と連通させる排気状態に切り替えられる。排気切替装置４１が供給状態にある場合、送風ファン３６により送られた空気は排気切替装置４１を通じて脱衣室１６に供給され、排気切替装置４１が排気状態にある場合、前記空気は屋外排気口４３から屋外に排出される。
【００３８】
また、空調システムは、通気ダクト３３を通じて居室１１〜１３から脱衣室１６に空気が供給された場合に、脱衣室１６から廊下１７を介して居室１１〜１３に空気を送る機構を有している。換言すれば、居室１１〜１３と脱衣室１６との間で空気を循環させる空気循環機構を有している。空気循環機構には、脱衣室１６と廊下１７とを仕切る仕切壁２１、及び廊下１７と第１居室１１とを仕切る仕切壁２１のそれぞれに設けられている換気扇４６と、それら仕切壁２１に設けられたドアのアンダーカット４７とが含まれている。
【００３９】
換気扇４６は、各仕切壁２１における床近傍に形成された開口に取り付けられている。また、アンダーカット４７は、ドア下端と床面との間に通気用隙間として形成されている。したがって、居室１１〜１３から脱衣室１６に空気が供給された場合、換気扇４６及びアンダーカット４７により、脱衣室１６の床付近（非居室空間の下部）に存在する空気が、第１居室１１から廊下１７を介して第１居室１１に送り出される。この場合、換気扇４６が駆動されると、空気の強制循環として脱衣室１６、廊下１７及び第１居室１１の間で積極的に空気の循環が行われる。また、換気扇４６が駆動されなくても、空気の自然循環として空気の循環が行われる。
【００４０】
なお、脱衣室１６の床付近には冷たい空気が溜まり易くなっているため、その冷たい空気が脱衣室１６から第１居室１１に送り出されることになる。また、アンダーカット４７は、床面に面するように仕切壁２１の下端に形成されていてもよい。
【００４１】
次に、空調システムの電気的構成について、図２を参照しつつ説明する。なお、図２では、空気の流れを実線で図示し、電気信号の流れを破線で図示する。
【００４２】
図２に示すように、空調システムは、建物１０内に設置されているコントローラ５１を含んで構成されている。コントローラ５１は、ＣＰＵや各種メモリ等からなるマイクロコンピュータを有しており、そのマイクロコンピュータで指令信号を生成及び出力することで空調システムの動作制御を行うようになっている。
【００４３】
コントローラ５１には、エアコン室内機２５と、チャンバボックス３５のモータダンパ３８と、送風ファン３６と、排気切替装置４１と、換気扇４６とが制御対象として接続されており、コントローラ５１は、指令信号を出力することで制御対象の動作制御を行う。例えば、エアコン室内機２５を動作させて各居室１１〜１３の温度をそれぞれ調整する。また、モータダンパ３８、送風ファン３６及び排気切替装置４１を動作させ、各居室１１〜１３の空間上部の空気を吸い込ませるとともに、その空気を脱衣室１６に供給させたり屋外に排出させたりする。さらには、換気扇４６を動作させ、脱衣室１６の空間下部から廊下１７を介して第１居室１１に空気を積極的に送り出させる。
【００４４】
また、コントローラ５１には、湯張り装置２３ａと、浴室１５内に人が居ることを検出する浴室用人感センサ５５と、脱衣室１６内に人が居ることを検出する脱衣室用人感センサ５６と、居室１１〜１３、脱衣室１６及び廊下１７の空間温度を検出する空間温度センサ５８とが接続されており、各センサ５５〜５８からは検出信号がコントローラ５１に対してそれぞれ出力される。なお、湯張り装置２３ａからは、浴槽２３の湯張り開始や湯張り終了を示す検出信号とが出力される。
【００４５】
さらに、コントローラ５１には、住人等により入力操作が行われる操作部５９が接続されている。操作部５９は、居室１１〜１３や脱衣室１６にそれぞれ設置されており、ユーザにより居室１１〜１３や脱衣室１６の室温に関する設定が行われるようになっている。操作部５９からは、室温の設定に関する信号がコントローラ５１に対して出力される。
【００４６】
次いで、コントローラ５１により実行される脱衣室１６の室温調整処理について、図３のフローチャートを参照しつつ説明する。
【００４７】
図３において、ステップＳ１０１では、湯張り装置２３ａから入力された検出信号に基づいて、浴槽２３の湯張り実行中であるか否かを判定する。具体的には、湯張り装置２３ａによる湯張りが開始されたか否かを判定するとともに、その湯張りが終了したか否かを判定する。この場合、湯張りが開始され且つその湯張りが終了していなければ、湯張りの実行中である。湯張り実行中である場合、入浴準備が行われているとして、ステップＳ１０２に進む。
【００４８】
ステップＳ１０２では、入浴前における脱衣室１６の目標室温を入浴前目標室温として設定する。例えば、入浴前目標室温を２０℃に設定する。なお、入浴前目標室温は、季節に応じて設定されてもよく、居室１１〜１３や脱衣室１６、廊下１７の温度に基づいて設定されてもよい。脱衣室１６の目標室温を設定した後、ステップＳ１０３に進み、空気循環処理を実行する。空気循環処理については後述する。
【００４９】
一方、湯張り実行中ではない場合、ステップＳ１０４に進み、浴室用人感センサ５５及び脱衣室用人感センサ５６から入力された各検出信号に基づいて、住人等が入浴中であるか否かを判定する。例えば、脱衣室１６内で人の存在が検出された後に浴室１５内で人の存在が検出された場合は、入浴中であると判定し、浴室１５内での人の存在が検出された後に脱衣室１６内での人の存在が検出された場合は、入浴が終了した入浴後であると判定する。また、脱衣室１６内及び浴室１５内のいずれでも人の存在が検出されない場合は、入浴前であると判定する。
【００５０】
入浴中でない場合、そのまま本処理を終了し、入浴中である場合、ステップＳ１０５に進み、入浴後における脱衣室１６の目標室温を入浴後目標室温として設定する。例えば、入浴後目標室温を１７℃に設定する。なお、入浴後目標室温は、入浴前目標室温と同様に、季節に応じて設定されてもよく、居室１１〜１３や脱衣室１６、廊下１７の温度に基づいて設定されてもよい。脱衣室１６の目標室温を設定した後、ステップＳ１０３に進み、空気循環処理を実行する。
【００５１】
ステップＳ１０３において実行される空気循環処理について、図４のフローチャートを参照しつつ説明する。本処理では、脱衣室１６の室温が目標室温よりも低ければ脱衣室１６を暖める処理を行い、脱衣室１６の室温が目標室温よりも高ければ脱衣室を涼しくする処理を行う。
【００５２】
図４において、ステップＳ２０１では、空間温度センサ５８から入力された検出信号に基づいて、居室１１〜１３及び脱衣室１６の現在の室温をそれぞれ取得する。ステップＳ２０２では、脱衣室１６の室温調整が必要であるか否かを判定する。ここでは、脱衣室１６の目標室温と脱衣室１６の現在の室温とが同じであるか否かを判定し、同じであれば室温調整が必要でないとし、異なれば室温調整が必要であるとする。
【００５３】
脱衣室１６の室温調整が必要である場合、ステップＳ２０３に進み、脱衣室１６の目標室温と、脱衣室１６及び居室１１〜１３の現在の各室温とに基づいて、脱衣室１６の室温調整が可能であるか否かを判定する。具体的には、脱衣室１６の現在の室温が目標室温より低い場合、居室１１〜１３の現在の各室温のうち少なくとも１つが目標室温より高ければ、脱衣室１６の室温調整が可能であるとし、目標室温より低ければ、室温調整が可能でないとする。同様に、脱衣室１６の現在の室温が目標室温より高い場合、居室１１〜１３の各現在の室温のうち少なくとも１つが目標室温より低ければ、脱衣室１６の室温調整が可能であるとし、目標室温より高ければ、室温調整が可能でないとする。換言すれば、居室１１〜１３のうち脱衣室１６との現在の室温差が所定室温差より大きい居室がある場合に、室温調整が可能であるとし、前記大きい居室がない場合に室温調整が可能でないとする。例えば、目標室温が２０℃である場合に、脱衣室１６の現在の温度が１４℃であって第１居室１１の現在の温度が２２℃であれば、脱衣室１６の室温調整を行うことが可能であるとする。
【００５４】
脱衣室１６の室温調整が可能である場合、ステップＳ２０４に進み、脱衣室１６に空気を供給する空気供給元を居室１１〜１３から選択する。ここでは、居室１１〜１３のうち現在の室温と目標室温との温度差が最も大きい居室を空気供給元として設定する。具体的には、脱衣室１６の現在の室温が目標室温より低い場合、居室１１〜１３のうち現在の室温が最も高い居室を空気供給元として設定し、脱衣室１６の現在の室温が目標室温より高い場合、居室１１〜１３のうち現在の室温が最も低い居室を空気供給元として設定する。
【００５５】
なお、空気供給元は、居室１１〜１３のうち複数設定してもよい。例えば、脱衣室１６の現在の室温が目標室温より低い場合、居室１１〜１３のうち目標室温より現在の室温が高い居室を全て空気供給元として設定し、脱衣室１６の現在の室温が目標室温より高い場合、居室１１〜１３のうち目標室温より現在の室温が低い居室を全て空気供給元として設定する。
【００５６】
ステップＳ２０５では、脱衣室１６への空気供給処理を実行する。ここでは、モータダンパ３８、送風ファン３６及び排気切替装置４１を動作させ、居室１１〜１３のうち空気供給元として設定された居室から空気を吸い込み、その空気を脱衣室１６に供給する。したがって、脱衣室１６の室温は、空気供給元の居室の現在の室温が脱衣室１６の現在の室温より高ければ上昇し、低ければ低下する。つまり、空気供給元の居室と脱衣室１６との室温差が小さくなる。ここでは、居室１１〜１３のうち現在の室温と脱衣室１６の現在の室温との差が最も大きい居室が空気供給元として設定されているため、脱衣室１６の室温調整が速やかに行われる。
【００５７】
ここで、空気供給元として設定される居室１１〜１３は、脱衣室１６より大きな居室空間を有しているため、脱衣室１６に空気が供給されても室温の変化を極力小さくすることができる。すなわち、脱衣室１６の室温調整を好適に行いつつ、空気供給元となった居室の室温変化を極力抑制することができる。ちなみに、脱衣室１６に供給される空気の流量は、１時間当たり２００立方メートル以上であることが好ましい。
【００５８】
例えば、季節が冬である場合、居室１１〜１３の室温は、エアコン室内機２５により室温調整が行われることで脱衣室１６の室温より高くなっていると考えられる。この場合に、居室１１〜１３の室温と脱衣室１６の室温との差が大きいと、住人等が入浴時に脱衣室１６で衣服を脱いで浴室１５で入浴する際、身体が温度変化を受けること（いわゆるヒートショック）で体調に異変が生じるおそれがある。そこで、ヒートショックの発生を防ぐために、特に冬季には脱衣室１６の入浴前目標室温を居室１１〜１３の現在の室温に近い室温に設定し、脱衣室１６の室温を上昇させるとよい。
【００５９】
さらに、季節が夏である場合、脱衣室１６の入浴後目標室温を脱衣室１６の現在の室温より低い温度に設定し、脱衣室１６の室温を低下させると、住人等は入浴後に浴室１５から脱衣室１６に移動した際、脱衣室１６で涼感を得ることができる。
【００６０】
ステップＳ２０６では、脱衣室１６からの空気送り出し処理を実行する。ここでは、換気扇４６を動作させ、脱衣室１６から廊下１７を通じて第１居室１１に空気を送り出す。この場合、空気供給元となった居室から脱衣室１６に空気が供給されても、その供給された分の空気が屋外ではなく脱衣室１６から前記空気供給元となった居室に送り込まれる。また、この場合、廊下１７を介して脱衣室１６と第１居室１１との間で空気循環が行われるため、脱衣室１６の室温だけでなく廊下１７の空間温度も調整される。例えば、廊下１７の温度が１６℃である場合に、居室１１〜１３のうち室温が２２℃の居室から室温が１４℃の脱衣室１６に空気が供給された場合であっても、脱衣室１６の室温が１６℃以上となれば、廊下１７の温度も１６℃から上昇することになる。すなわち、空気供給元の居室と脱衣室１６との温度差だけでなく、空気供給元の居室と廊下１７との温度差も小さくなる。
【００６１】
また、廊下１７の空気が第１居室１１に流れ込むため、廊下１７の温度に応じて第１居室１１の室温も変化することになり、ひいては、第２居室１２や第３居室１３の室温も変化することになる。したがって、居室１１〜１３と脱衣室１６との間で空気の循環が行われることで、屋内空間全体の温度が調整されることになる。
【００６２】
なお、空気供給処理及び空気送り出し処理は、脱衣室１６の室温が目標室温に達した場合や、湯張りが終了した場合、住人等が入浴するために浴室１５に入った場合に終了する。但し、浴槽２３の湯張りが完了した後でも、住人等が入浴のために浴室１５に入るまでは、脱衣室１６の室温調整を継続して行う。
【００６３】
以上詳述した本実施形態によれば、以下の優れた効果が得られる。
【００６４】
居室１１〜１３から脱衣室１６に空気が供給された場合、居室１１〜１３と脱衣室１６との間に室温差が小さくなる。居室１１〜１３と脱衣室１６との室温差が大きいと、人が居室１１〜１３から脱衣室１６に移動した場合に、ヒートショックにより体調に異変が生じる可能性があるが、前記室温差が小さいとヒートショックの発生を抑制することができ、ひいては体調異変の発生を抑制することができる。上記実施形態では、居室１１〜１３のうち脱衣室１６との現在の室温差が所定室温差より大きい居室がある場合に、居室１１〜１３から脱衣室１６に空気が供給されるため、互いに仕切られた複数の屋内空間を有する建物において、人が所定の屋内空間からその他の屋内空間に移動した際におけるヒートショックの発生を抑制することができる。
【００６５】
脱衣室１６に空気が供給される場合、その空気供給元として居室１１〜１３のいずれかが選択される。このため、人が居るか居ないか、やエアコン室内機２５による空調が行われているか否か等に起因して居室１１〜１３の各室温がまちまちであっても、脱衣室１６の室温調整を行うことができる。例えば、居室１１〜１３の各室温のいずれかが脱衣室１６の室温より低くても、他の室温が脱衣室１６の室温より高ければ脱衣室１６の室温を上昇させることができる。したがって、脱衣室１６の室温調整が必要な場合に、居室１１〜１３のうち、前記室温調整に最も適した室温となっている居室から脱衣室１６に空気を供給することができる。つまり、建物１０が有する複数の屋内空間のうち所定の屋内空間の温度をその他の屋内空間の空気により好適に調整することができる。
【００６６】
居室１１〜１３は、脱衣室１６より広くなっているため、居室１１〜１３から脱衣室１６に空気が供給されても、その際の居室１１〜１３における室温の変化を極力小さくすることができる。したがって、脱衣室１６の室温調整を行いつつ、住人等は居室１１における日常的な生活を快適に送ることができる。
【００６７】
浴槽２３の湯張り中に脱衣室１６の室温調整が行われるため、入浴時に住人等が衣服を脱ぐ前にあらかじめ脱衣室１６を暖めておくことができる。したがって、特に冬季には、ヒートショックの発生を抑制できる。また、住人等が入浴中に脱衣室１６の室温調整が行われるため、入浴者が入浴を終了する前にあらかじめ脱衣室１６を涼しくしておくことができる。したがって、特に夏季には、入浴者が入浴後に涼感を得ることができる。
【００６８】
吸気グリル３１は、居室１１〜１３の天井に設けられているため、居室１１の暖かい空気を効率良く脱衣室１６に供給することができる。また、換気扇４６は、仕切壁２１における床付近に設けられているため、脱衣室１６の冷たい空気を効率良く居室１１〜１３に送ることができる。以上の結果、居室１１〜１３の室温より脱衣室１６の室温の方が低い場合に、脱衣室１６の室温を効率良く上昇させることができる。
【００６９】
居室１１〜１３から脱衣室１６への空気供給に伴って換気扇４６が駆動することで、脱衣室１６から廊下１７を介して第１居室１１に空気が積極的に送り出される。すなわち、脱衣室１６と第１居室１１との間で空気の強制循環が行われる。このため、第１居室１１と脱衣室１６との温度差を適正に解消することができ、ひいては居室１１〜１３のうち空気供給元として選択された居室と脱衣室１６との温度差を適正に解消することができる。また、脱衣室１６と第１居室１１との間の空気循環は廊下１７を介して行われるため、脱衣室１６の室温調整に伴って廊下１７の温度調整も行われることになる。したがって、住人等が居室１１〜１３から廊下１７に移動した場合等における廊下１７でのヒートショックの発生を抑制できる。
【００７０】
排気切替装置４１の状態が切り替えられることで、居室１１〜１３から取り込まれた空気の供給先が脱衣室１６又は屋外に切り替えられる。この場合、居室１１〜１３から取り込んだ空気の状態に応じてその空気を排気として屋外に排出することができる。これにより、汚れた空気等が建物１０の屋内空間に拡散することを抑制できる。
【００７１】
（他の実施形態）
本発明は上記実施形態の記載内容に限定されず、例えば次のように実施されてもよい。
【００７２】
・上記実施形態では、居室１１〜１３から取り込まれた空気が脱衣室１６に供給される構成としたが、その空気が浴室１５や廊下１７、トイレ等に供給される構成としてもよい。この場合、脱衣室１６と同様に、浴室１５や廊下１７、トイレ等におけるヒートショックの発生を抑制できる。また、脱衣室１６に空気を供給する空気供給元に廊下１７が設定されてもよい。
【００７３】
・上記実施形態では、換気扇４６及びアンダーカット４７が仕切壁２１に対して設けられているが、それら換気扇４６及びアンダーカット４７の一方が仕切壁２１に対して設けられていてもよい。この場合でも、脱衣室１６と居室１１〜１３との間で空気の循環を生じさせることができる。
【００７４】
・上記実施形態では、居室１１〜１３から脱衣室１６への空気供給に伴って換気扇４６が駆動する構成としたが、前記空気供給が行われても換気扇４６は駆動しない構成としてもよい。この場合でも、アンダーカット４７を通じて脱衣室１６と居室１１〜１３との間で空気の自然循環が行われることになる。
【００７５】
・上記実施形態では、浴槽２３の湯張り中や住人等の入浴中に居室１１〜１３から脱衣室１６に空気が供給される構成となっているが、住人等が脱衣室１６に居る場合に居室１１〜１３から脱衣室１６に空気が供給される構成となっていてもよい。例えば、コントローラ５１が、脱衣室用人感センサ５６の検出信号に基づいて脱衣室１６での人の存在を取得した場合に、モータダンパ３８、送風ファン３６及び排気切替装置４１を動作させる。このため、住人等が入浴以外の目的で非居室空間としての脱衣室１６を使用している場合でも、脱衣室１６の室温を調整することができる。
【００７６】
・空調装置２４や通気ダクト３３、排気切替装置４１には、それらを通過する空気からゴミ等を取り除く空気清浄装置や、同じく通過する空気の湿度を調整する湿度調整装置、同じく通過する空気から二酸化炭素を除去する二酸化炭素除去装置、同じく通過する空気に酸素を供給する酸素供給装置が設けられていてもよい。
【００７７】
・上記実施形態では、エアコン室内機２５からは脱衣室１６に空気が吹き出されないが、エアコン室内機２５から脱衣室１６に空気が吹き出されてもよい。例えば、脱衣室１６の天井に吹出グリル２９が設けられている構成とする。この場合、エアコン室内機２５による脱衣室１６の室温調整が可能となるため、脱衣室１６の室温を居室１１〜１３の室温より高い温度に上昇させたり、居室１１〜１３の室温より低い温度に低下させたりすることができる。例えば、脱衣室１６の現在の室温が１４℃であり、居室１１〜１３の現在の室温が２２℃である場合に脱衣室１６の目標室温を２５℃に設定しても、それを実現することができる。
【００７８】
・上記実施形態では、排気切替装置４１が空気を脱衣室１６側又は屋外排気側に送り出す構成としたが、排気切替装置４１が空気を脱衣室１６及び屋外排気側の両方に送り出す構成としてもよい。この場合、居室１１〜１３のうち空気供給元として設定された居室から脱衣室１６及び屋外排気側の両方に空気を流すことができる。このため、排気切替装置４１により、脱衣室１６に供給される空気量を調整することができる。
【図面の簡単な説明】
【００７９】
【図１】本実施形態における空調システムの概略を示す平面図。
【図２】空調システムの概略を示す縦断面図。
【図３】コントローラにおいて実行される脱衣室の室温調整処理を示すフローチャート。
【図４】空気循環処理を示すフローチャート。
【符号の説明】
【００８０】
１０…建物、１１…第１居室、１２…第２居室、１３…第３居室、１５…浴室、１６…脱衣室、１９…天井裏スペース、２１…仕切壁、２３…浴槽、３２…供給グリル、３３…通気ダクト、３６…送風ファン、４１…排気切替装置、４２…排気ダクト、４３…屋外排気口、４６…換気扇、４７…アンダーカット、５１…コントローラ、５５…浴室用人感センサ、５６…脱衣室用人感センサ、５７…浴槽水位センサ、５８…空間温度センサ。
【図１】
0005108569.tif 000002
【図２】
0005108569.tif 000003
【図３】
0005108569.tif 000004
【図４】
0005108569.tif 000005